(57)【要約】【課題】果実収穫の適期が限られた環境においても、適期内で高品質の果菜を高収量で収穫することが可能な栽培方法及びそれに適した栽培装置を提供する。【解決手段】本発明の栽培装置は、独立ポット多段栽培に適した装置であり、植物を植栽した複数のポットを載置するためのポット支持手段と、前記ポット支持手段を支持する支柱と、前記ポット支持手段に載置された複数のポットのそれぞれに水を供給する給水手段とを備える。ポット支持手段は少なくとも上下二段からなり、各段の間隔が６０ｃｍ以上１２０ｃｍ以下である。【選択図】図１
2015089353.tif 000002
【特許請求の範囲】
【請求項１】
植物を植栽した複数のポットを載置するためのポット支持手段と、前記ポット支持手段を支持する支柱と、前記ポット支持手段に載置された複数のポットのそれぞれに水を供給する給水手段とを備え、前記ポット支持手段は少なくとも上下二段からなり、各段の間隔が６０ｃｍ以上１２０ｃｍ以下であることを特徴とする栽培装置。
【請求項２】
請求項１に記載の栽培装置であって、
前記給水手段は、各段の前記ポット支持手段に配水する給水管を備え、各段の給水管毎に開閉バルブを備え、且つ各段の給水管の間にチェックバルブを備えたことを特徴とする栽培装置。
【請求項３】
請求項２に記載の栽培装置であって、
前記給水管は、前記ポット支持手段に置かれる複数のポットのそれぞれに配水する給水細管を備えたことを特徴とする栽培装置。
【請求項４】
請求項１ないし３のいずれか一項に記載の栽培装置であって、
前記ポット支持手段は、板状部材と、当該板状部材の上方に配置される一対の棒状部材とからなり、前記ポットは前記板状部材と前記棒状部材との間に敷設されるシートによって形成される受け部に配置されることを特徴とする栽培装置。
【請求項５】
請求項４に記載の栽培装置であって、
前記板状部材は、前記支柱に対し、板状部材の長手方向の軸を中心に回転可能に支持されていることを特徴とする栽培装置。
【請求項６】
請求項１ないし５のいずれか一項に記載の栽培装置であって、
少なくとも最下段のポットに植栽された植物の成長方向を誘引する誘引手段をさらに備え、前記誘引手段は前記板状部材に平行な誘引棒と、前記誘引棒を水平方向及び垂直方向に移動可能に支持する誘引棒支持手段とを備えることを特徴とする栽培装置。
【請求項７】
果菜を多段で栽培する方法であって、
ポットに定植した苗を所定の間隔で所定の水平方向に配置するとともに、同様に水平方向に配置したポット列を上下方向に６０ｃｍ以上１２０ｃｍ以下の間隔で配置するステップ、
苗が２段花房以上に生育した状態で摘芯するステップ、
花房が果房になるまで成長させるステップ、及び
前記上下に配置したポット列について、同時期に果房を収穫するステップを含む栽培方法。
【請求項８】
請求項７に記載の栽培方法であって、
前記苗はトマトであって、前記摘芯するステップは、第２花房の上の２枚の葉を残して摘芯することを特徴とする栽培方法。
【発明の詳細な説明】
【技術分野】
【０００１】
本発明は、ナス、トマト、ピーマン等の果菜類に適した栽培方法と当該栽培方法を実現するのに好適な栽培装置に関する。
【背景技術】
【０００２】
果菜類の栽培では、一般的な要請として、高品質の果実を高収量で栽培すること、栽培の管理が容易であることが挙げられる。特許文献１には、上下２段の栽培装置を用い、その下段では収穫株を、上段では次の若い株を栽培し、下段と上段とを入れ替えながら、連続的にトマトを栽培する手法（上下立体時間差連続栽培方式と呼ばれる）と装置が提案されている。この手法によれば、周年栽培が可能となり、収量が向上すると考えられる。
【０００３】
また特許文献２には、花房が多段となるトマトについて、花房の上に伸びる枝葉によって通気性や日が妨げられることに起因するトマトの品質低下を防止するために、２段から４段までの比較的低段の花房の果実を実らせる栽培方法（低段密植栽培方法）を改善し、枝葉の向きを制御して、果房に十分に日光が当たるに工夫した栽培方法が提案されている。
【０００４】
さらに低段密植栽培方法と上述した上下立体時間差連続栽培方式を組み合わせて、トマトを周年多収生産する試みも提案されている（非特許文献１）。
【先行技術文献】
【特許文献】
【０００５】
【特許文献１】特開２００５−３２８７６５号公報
【特許文献２】特開２００９−７７６９４号公報
【非特許文献】
【０００６】
【非特許文献１】「低段・多段組み合わせ栽培によるトマトの周年多収生産技術マミュアル」（ＳＨＰ関東地域農業研究・普及協議会：平成２２年３月）
【発明の概要】
【発明が解決しようとする課題】
【０００７】
特許文献２に記載される技術（低段密植栽培方法）は、細長状の湛液式水耕ベッドに株を１０ｃｍ〜２０ｃｍの間隔で定植するというものであるが、水耕ベッドに株を比較的高密度で定植した場合、一つの株に発生した病害が他の株に及びやすいという問題がある。また低段の果実のみを収穫するので収量の向上には限界がある。
【０００８】
一方、特許文献１や非特許文献１に記載された方法は、いずれも多段栽培の上段・下段で栽培時期をずらして周年栽培を行い、高収量化を実現するものである。このような栽培方法は比較的気候が穏やかで変化が少ないオランダ等には適しているが、高温多湿の夏季を迎える日本でこの方法を採用するためには、栽培施設（ハウス）の温度管理等を十分に行う必要があり、却って高コストになる可能性が高い。またこのために用いる栽培装置は、多段に配置された栽培装置を上下させるための機構が必要となり、装置が複雑となるという問題もある。
【０００９】
本発明は上記従来技術の問題点を解決するためになされたものであり、果実収穫の適期が限られた環境においても、適期内で高品質の果菜を高収量で収穫することが可能な栽培方法及びそれに適した栽培装置を提供することを課題とする。
【課題を解決するための手段】
【００１０】
上記課題を解決するため本発明は、株毎の独立ポットを用いた高密度栽培であって、同期収穫可能な多段方式の栽培方法（以下、空間水平分割多段同期収穫栽培方法と呼ぶ）と栽培装置を提供することを課題とする。
【００１１】
すなわち本発明の栽培方法は、株毎に独立したポットを用いること、花房の低い段で収穫する低段密植栽培であること、低段密植栽培を多段化し同期収穫することが特徴であり、具体的には、ポットに定植した苗を所定の間隔で所定の水平方向に配置するとともに、同様に水平方向に配置したポット列を上下方向に６０ｃｍ以上１２０ｃｍ以下の間隔で配置するステップ、苗が２段花房以上に生育した状態で摘芯するステップ、花房が果房になるまで成長させるステップ、及び前記上下に配置したポット列について、同時期に果房を収穫するステップを含む。なお成長させるステップは、ポットに定植された株に対し、適宜、給水、給肥するステップを含む。
【００１２】
また本発明は、上記空間水平分割多段同期収穫栽培方法に適した栽培装置を提供する。
すなわち本発明の栽培装置は、植物を植栽した複数のポットを載置するためのポット支持手段と、前記ポット支持手段を支持する支柱と、前記ポット支持手段に載置された複数のポットのそれぞれに水を供給する給水手段とを備え、前記ポット支持手段は少なくとも上下二段からなり、各段の間隔が６０ｃｍ以上１２０ｃｍ以下であることを特徴とする。
【発明の効果】
【００１３】
本発明の栽培方法によれば、独立ポットを用いているので、全体としての重量が軽量となり植物生育に必要な培土の量を減らすことができ、また作業性もよくなる。また多段同期収穫であることから、植物の生理を考慮した栽培適期に、短期で且つ高い収量で果菜を収穫することができる。また短期で収穫することができるので、施設空間の有効利用を図ることができる。つまり栽培適期を異ならせて同種の或いは別の果菜を高収量で栽培することができる。
【００１４】
また本発明の栽培方法によれば、独立ポット栽培であり且つ短期で収穫するので、長期にわたる多段栽培のように環境ストレスに遭遇するリスクがなく、病害等の管理が容易である。さらに本発明の栽培方法によれば、適期の且つ低段の果実を収穫することから、収穫される果実は高品質で重量が重く可販果率を向上できる。
【００１５】
本発明の栽培装置は、上記栽培方法に適した栽培装置であり、施設空間を多段的に活用できるので施設の有効利用を図ることができる。また２段にした場合には、段の間隔が１２０ｃｍ以下と狭いため高所作業専用台車等がなくても作業を行うことができ、管理が容易である。
【００１６】
また本発明の栽培装置は、各段の給水系に開閉バルブを設けるとともに給水系間にチェックバルブを設けることにより、多段の同時使用、１段のみの使用、一つの給水系が故障した場合に他の給水系の転用など、多様な使用形態を提供することができる。
【００１７】
さらに本発明の栽培装置は、少なくとも最下段の植物の成長を誘引する誘引手段を設けることにより、その上に位置するポットやその支持手段にぶつかることなく且つそれらの日陰にならずに、下段の植物を成長させることができる。
【図面の簡単な説明】
【００１８】
【図１】本発明の栽培装置の一実施形態を示す正面図
【図２】図１の栽培装置の側断面図
【図３】ポットとポット支持手段との関係を示す図
【図４】給水手段を示す図
【図５】誘引手段を示す図
【図６】誘引手段と装置上段との関係を示す図
【発明を実施するための形態】
【００１９】
以下、本発明の栽培装置の一実施形態を、図面を参照して説明する。
図１に示す栽培装置１は、多段栽培用の栽培装置で、主として、垂直方向に伸びる複数の支柱１０、１１と、植物を定植したポット５０が置かれるポット支持部２０と、ポット支持部２０に置かれたポットに給水するための給水手段３０と、植物の成長方向を所定方向に誘導するための誘引手段（誘引棒４１、誘引ヒモ４５）とを備えている。ポット支持部２０は、上下方向に所定の間隔を持って、少なくとも２段備えられている。以下の説明では、２段式の場合を例に説明するが、３段以上とすることも可能である。
【００２０】
支柱１０、１１は、図示する実施形態では、装置１の両端にそれぞれ１本、中間にポット支持部２０を挟んで複数対が設けられる。なお装置の長手方向の長さが短い場合には、中間の支柱は一対でもよいし、省略することも可能である。また両端の１本に代えて一対の支柱としてもよい。支柱１０、１１は、簡単に倒れることがないように、台座１２等の上に固定されている。
【００２１】
ポット支持部２０は、支柱１０、１１に対し、上下方向に複数段が固定される。段と段との間隔は、対象とする果菜によっても異なるが、いずれの場合も低段密植栽培を行うために６０ｃｍ〜１２０ｃｍの範囲とすることが好ましい。一般にトマト等の果菜は、花房が多段（この花房の段は栽培装置の段数とは関係がない）となるが、ポット支持部１０の段間隔を上述した範囲とすることにより、低段の果実を確実に生育させることができるとともに、比較的低い位置での作業性が可能となり、特に２段の場合には、高所作業用専用台を不要とすることができる。
【００２２】
各段のポット支持部２０の構造は共通しているので、一つのポット支持部２０について説明する。ポット支持部２０は、ポットを載せる板状部材２１と、板状部材２１の直上に位置する一対の棒状部材２２とから成る。板状部材２１は、図２に示すように、その長手方向が各支柱１０に設けられた固定部材１５にその主平面が略水平となるように固定される。
【００２３】
本実施形態では特に好適な形態として、板状部材２１は、固定部材１２の上に装置の長手方向に沿って細長い補強部材２３が固定され、この補強部材２３に板状部材２１が固定されている。ここで補強部材２３をパイプ状の断面円形の部材とし、板状部材２１をこの円筒状の補強部材２３を軸として回転可能に固定することにより、板状部材２１の主平面を水平から垂直まで変化させることができる。板状部材２１が回転可能であることによって、ポットの配置作業或いは取り出し作業や果実収穫作業の作業性を向上させることができる。なお板状部材２１は支柱１０に対し回転可能であればよく、補強部材２３を介することなく直接支柱に回転可能に取り付けてもよい。
【００２４】
また一段目に配置されるポット支持部２０は、装置の両端以外は直接床に固定した固定具で支持するようにしてもよく、その場合には、支柱１０に固定した固定部材１５は省略できる。
【００２５】
棒状部材２２は、例えば金属製のパイプからなり、その長手方向の両端が、両端に位置する支柱１０に固定具を介して固定されている。装置の長手方向の中間部では支柱１０に簡単なワイヤ等で固定してもよいし、両端と同様の固定具を設けてもよい。
【００２６】
一対の棒状部材２２の間隔は、ポット支持部２０に置かれるポットの幅より広く設計されている。また板状部材２１と棒状部材２２の高さ方向の間隔は、ポットの高さとほぼ同程度に設計されている。これにより、図３に示すように、シート２５を板状部材２１が底面、板状部材２１と棒状部材２２との間が側面となるように配置することによって、ポット５０を受け入れる空間が形成される。なお棒状部材２２の支柱１０に対する固定構造として、棒状部材２２の高さｈや一対の棒状部材２２の間隔ｄが可変とする構造を採用することも可能であり、その場合には、種々のサイズのポット５０に対応することができる。但しシート２５やポットによって、装置下段に置かれた植物が日陰とならない範囲とすることが重要である。
【００２７】
給水手段３０は、可撓性のある給水管３１と、給水管３１に水（肥料等を含む液体を含む）を供給する供給源３２と、給水管３１と給水原３２との間に設けられる複数のバルブ３３〜３５とからなる。給水管３１は、各段のポット支持部２０の長手方向に沿って配置され、ポット支持部２０に置かれたポットに給水するためのものであり、図４に示すように、個々のポットに給水するためのノズル付きの細管３５が接続されている。この細管３５のノズルの先端をポットに差し込んで給水が行われる。
【００２８】
給水管３１は、段毎に開閉バルブ３３−１、３３−２及び電磁バルブ３５−１、３５−２を介して給水源３２に接続されるとともに、各段の給水管３１の間には開閉バルブ３３−３及びチェックバルブ（逆流防止弁）３４が接続され、電磁バルブ３５に近い方の給水管３１の間には開閉バルブ３３−４が接続されている。２段で栽培を行う場合には、１段目の給水管３１に接続された電磁弁３５−１のみを開き、開閉バルブ３３−１〜３３−４を開にして給水してもよいし、１段目と２段目の給水管に接続された電磁弁３５−１、３５−２をともに開いて給水源から給水を行ってもよい。また１段目のみで栽培を行う場合には、開閉バルブ３３−１のみを開き、その他の開閉バルブ３３−２〜３３−４を閉じた状態で給水を行うことも可能である。２段目のみで栽培を行う場合には、電磁弁３５−２と開閉バルブ３３−２を開いて、或いは電磁弁３５−１と開閉バルブ３３−４、３３−２を開いて給水する。
【００２９】
誘引手段は、ポットに植えられた植物の成長方向を所定の方向に誘引し、下段に置かれた植物が生長することによってその上の段のポット支持部２０にぶつかるのを防止する機能を持つものであり、ポット支持部２０の上方に、その長手方向に沿って配置された誘引棒４１と、誘引棒４１の両端を装置両側の支柱１０に対し可動に支持する誘引棒支持部４２とを含む。誘引棒支持部４２は、例えば、図５に示すように、支柱１０に対し上下方向に移動可能な第１支持部４２１と、第１支持部４２１に対し、その移動方向と直交する方向（水平方向）にスライドする第２支持部４２２とで構成することができ、第２支持部４２１の先端に誘引棒４１が固定される。この機構により、誘引棒４１はポット支持部２０（板状部材２１）に置かれたポット５０に対する上下方向の位置を自在に変えることができるとともに、板状部材２１の幅方向の位置を変化させることができる。
【００３０】
図５及び図６に示すように、ポットに植えられた植物と誘引棒４１との間には誘引ひも４５が張り渡され、植物は成長方向が誘引ひもの伸びる方向に誘引されるようになっている。誘引棒４１の高さ方向の位置は、植物の種類によっても異なるが、徒長しやすい時期にも対応可能にするためには、図６に示すように、上の段のポット支持部（板状部材２１）と同じかそれよりも高くてもよい。高さは第１支持部４２１を移動させることにより調整することができる。なお誘引棒４１の高さが上の段の板状部材２１よりも高い場合、上の段のポット５０或いはシート２５によって、成長した下の段の植部が日陰にならないように、少なくともシート２５と誘引ひも４５との水平方向の間隔が５ｃｍ以上であることが重要である。この誘引棒４１の水平方向の位置は、第２支持部４２２を移動させることにより調整することができる。
【００３１】
誘引棒４１が上述のように可動であることにより、季節で変化する植物の成長に伴い、誘引棒４１の位置を変えることにより徒長した植物の成長点がその上の段のポット支持部２０底面にぶつかり成長が阻害されるのを防止できる。また成長した下の段の植部が日陰になるのを防止できる。
【００３２】
次に上記栽培装置の使用方法について説明する。
まず準備段階として、栽培装置１を、ハウス等の施設内に、装置の長手方向が東西方向となるように所定の条間（栽培装置の長手方向と直交する方向の間隔）を持って組み立てる。条間は太陽光の角度や栽培装置の高さ等を考慮して適宜決められる。
【００３３】
次に各段のポット支持部２０の板状部材２１の上に、図３に示すようなシート２５を敷設し、その上に所定の間隔で、苗が定植されたポット５０を並べる。シート２５の端部を棒状部材２２にひっかけて、その上からクリップ等で固定する。シート２５は、ポット５０の転倒防止を防止する受け部として機能するとともに、排水受けとしても機能する。
【００３４】
一方、誘引棒４１にはポット５０に対応する位置に、図５に示すように、ロープ４５の一端を固定し、他端を苗の根元に近い幹部分にクリップ等で固定し、苗と誘引棒４１との間にロープ４５を貼り渡す。また給水管３１を各段のポット支持部２０の長手方向に沿って引き回し、給水管３１に接続されたノズル付きの細管３５のノズル部分をポット５０の培土内に突き刺し、給水できる状態とする。その後、給水管３１を介して、適宜、給水、給肥を行いながら、収穫まで果菜を生育させる。
【００３５】
また植物が生育する過程で、必要に応じて誘引棒４１の位置を上下、前後方向に調節し、徒長した植物の成長点が上段のポット支持部２０に当接して成長が阻害されたり、隣接する植物に覆いかぶさったりするのを防止する。このとき根元にクリップ止めしたロープ４５の長さを調節することで、ロープ４５が常に根元と誘引棒４１との間に貼り渡された状態とすることができる。
【００３６】
本発明の栽培装置は、簡単な構造で、ポットのセット多段同期収穫栽培を可能にすることができる。また各段の間隔が適切な範囲であるため、作業性がよい。さらに各段の給水系に開閉バルブを設けるとともに各給水系間にチェックバルブを設けることにより、一つの給水系に故障があった場合にも、当該給水系に故障がない給水系から給水を継続することが可能である。
【００３７】
本発明の栽培装置は、以下説明する本発明の栽培方法、空間水平分割多段同期収穫栽培方法に好適であるが、それ以外の栽培方法に用いることも可能である。例えば、多段のポット支持部のうち一部のみを用いて栽培してもよいし、一つの段に配置するポットの密度などは植物の種類や品種に応じて変更することができる。また上記実施形態で説明した各部材の素材や固定方法は、上記実施形態に限定されることなく、同様の機能を持つものであれば公知の材料や機構を採用できることは言うまでもない。
【００３８】
次に本発明の栽培方法について説明する。本発明の栽培方法は上述した栽培装置を用いることが好適であるが、それに限定されるものではなく、多段方式のポット支持部を有し且つ各段のポットに対し給水可能な手段を有する栽培装置であれば採用することができる。以下では、図１の栽培装置１を用いる場合を例に栽培方法を説明する。
【００３９】
まず上述したように、所定の条間をもって設置された栽培装置１のポット支持部２０の上に、ポット栽培によって育成された苗を所定の株間で配置する。また条間は、栽培の時期における日光の入射角度を考慮して決める。具体的には１１月から２月の冬季栽培の場合、１２０〜１４０ｃｍ程度の条間とする。それより入射角度が高くなる場合には条間をそれより狭くすることも可能である。
【００４０】
個々のポットの間隔すなわち株間は、本発明の方法では独立ポット方式を採用しているので、ポットの外径と同じ間隔まで狭めることができるが、通気性の確保や草勢の制御の観点から、約１５〜２０ｃｍ程度とすることが好ましい。
【００４１】
苗は別途育苗ポットで生育させて本葉が２〜３枚程度出た状態で、独立ポットに定植することが好ましい。本発明の栽培方法では、定植後果実の収穫まで同一の独立ポットで栽培を行うため、培土としては、保水性、通気性、保肥力に優れた培土を用いることが好ましい。具体的には、保水性や通気性に優れピートモスやココナッツダスト等の有機資材と、吸水性のあるゼオライト、ベントナイト、カオリナイト等の粘土資材とを適切な割合で配合した培土が好ましい。一例として特許第４８６５１９６号に開示された嵩高な培土を用いることができる。
【００４２】
以上のように、適切な培土でポットに定植した苗をポット支持部に配置し、定期的な給水を行う。栽培装置について説明したように、ポット支持部２０に沿って引き回された給水管３１のノズル付きの細管３５を各ポットに挿入し、給水源３２から必要に応じて所定の濃度の肥料を溶解した水を適量供給する。給水する水の量や給水の頻度は、ポットの容量や環境温度、生育状況によって適宜調整する。
【００４３】
株は花芽分化期、着果期、肥大期、果実成熟期を経ながら成長し続けるが、受粉して着果期を経過した後、例えば２段花房以上に生育した状態で摘芯する。トマトの場合、２段花房上の２枚の葉を残して摘芯する。その後、適宜、給水、給肥を施しながら生育を継続させて、果実を成熟させて、適切な時期に収穫する。従来の多段栽培では、植物の異なる成長ステージが混在しているため、樹勢を考慮した摘果作業や摘葉作業が必要となるが、本発明の栽培方法では、同ステージの植物を生育させるので、このような作業を省略することができる。
【００４４】
受粉から収穫までの期間は植物の種類や品種によっても異なるが、例えば、トマトを２段果房で収穫する場合、受粉後第１果房の収穫まで５０〜７０日程度であり、第１果房収穫から第２果房収穫まで１０日前後である。
【００４５】
以上説明したように、本発明の栽培方法によれば、短期間に高収量で果菜を収穫することができ、しかも樹勢を考慮した熟練のいる作業や管理が不要となり作業の標準化を図ることができる。
【実施例】
【００４６】
本発明の栽培方法の効果を確認するために次の試験を行った。
まず摘芯位置と栽植密度の関係をみるために下記の３つの試験区を設け、トマトの栽培を実施した。実施期間は、１１月から２月の４カ月間とした。
１区：４段花房上２枚の葉を残して摘芯
２区：３段花房上２枚の葉を残して摘芯
３区：２段花房上２枚の葉を残して摘芯
【００４７】
各試験区とも、栽培装置の長手方向を東西方向とし、条間を１０６ｃｍ、株間を１５ｃｍとした。試験に用いた苗の第１花房の位置は培地上面より、おおむね４５ｃｍであり、また収穫時の草高は、１区は約１４５ｃｍ、２区は約１１５ｃｍ、３区は約９０ｃｍであった。因みに６月上旬播種、６月下旬鉢上げした高温・高湿時期の７月下旬の苗について、第１花房の位置は培地上面よりおおむね６０ｃｍ、収穫時の草高は３区において約１０５ｃｍであった。
【００４８】
これによりトマトについては、３区の低段栽培を多段で行う場合、品種、栽培時季において差異はあるものの、各段の間隔は余裕を見ても１２０ｃｍ以下であればよいことが確認された。また誘引棒４１で成長を前後方向に誘引することを考慮すると６０ｃｍ以上であればよいことが確認された。
【００４９】
各試験区において、各果房は４果を残し摘果し、受粉から約７０日後に第１果房を収穫し、その後、第２果房、第３果房（１区と２区）、第４果房（１区のみ）を約１０日の間隔をおいて収穫した。各試験区の収穫量を表１に示す。
【表１】
2015089353.tif 000003
【００５０】
表１に示す結果からわかるように、１ポットあたりの収穫量でみた場合には、果房の段数が多いほど（１区）収穫量は多いが、その分、最終的な収穫までの時間が長くなる。１区と３区では約２０日の時間差があった。また果房の果重は、段が高くなるにつれて減少するので、低段で２回収穫したほうが段数を増やすよりも収穫量を上げることができる。具体的には３区を上下２段にした場合、３．２６４ｋｇ（＝１．６３２ｋｇ×２）の収穫量が見込めるため、１区よりも収穫量を向上することができ、しかも収穫時間は大幅に短縮することができる。
【産業上の利用可能性】
【００５１】
本発明によれば、高品質な果菜を高収量且つ複雑な管理や作業を必要とせずに提供することが可能な栽培方法及び装置が提供される。
【符号の説明】
【００５２】
１０、１１・・・支柱、２０・・・ポット支持手段、２１・・・板状部材、２２・・・棒状部材、２３・・・補強部材、２５・・・シート、３０・・・給水手段、３１・・・給水管、３２・・・給水源、３３・・・開閉バルブ、３４・・・チェックバルブ、４１・・・誘引棒、４２・・・誘引棒支持部、４５・・・誘引ひも、５０・・・ポット。
【図１】
2015089353.tif 000004
【図２】
2015089353.tif 000005
【図３】
2015089353.tif 000006
【図４】
2015089353.tif 000007
【図５】
2015089353.tif 000008
【図６】
2015089353.tif 000009